(57)【特許請求の範囲】
【請求項１】
鉛直方向に延びる第１基礎および前記第１基礎から水平方向に延びる第２基礎に沿って配置され、前記第１基礎の側面と前記第２基礎の上面との連結部分が臨む隙間が、薬剤を施工するための通路として区画されている断熱材
を備え、
前記断熱材の下端および側端には、前記隙間を形成するための切欠部が形成され、
前記通路は、前記切欠部と前記第１基礎の前記側面と前記第２基礎の前記上面とによって、閉断面として形成され、
前記通路には、前記薬剤の施工時に前記通路に前記薬剤を供給するための注入管が接続されており、前記注入管は、一端部が外部に向かって開放され、他端部が前記通路に臨むように配置されていることを特徴とする、防蟻構造。
【請求項２】
鉛直方向に延びる第１基礎および前記第１基礎から水平方向に延びる第２基礎に沿って、前記第１基礎の側面と前記第２基礎の上面との連結部分が臨む隙間が、薬剤を施工するための通路として区画されるように、断熱材を配置する工程、および、
前記断熱材を配置する工程の後に、前記薬剤を前記通路に供給することにより、前記薬剤を前記連結部分に散布する工程
を備え、
前記断熱材の下端および側端には、前記隙間を形成するための切欠部が形成され、
前記通路は、前記切欠部と前記第１基礎の前記側面と前記第２基礎の前記上面とによって、閉断面として形成され、
前記通路には、前記薬剤の施工時に前記通路に前記薬剤を供給するための注入管が接続されており、前記注入管は、一端部が外部に向かって開放され、他端部が前記通路に臨むように配置されていることを特徴とする、防蟻方法。
【発明の詳細な説明】
【技術分野】
【０００１】
本発明は、防蟻構造および防蟻方法、詳しくは、断熱材が配置された断熱構造を有する建物などを防蟻するための防蟻構造および防蟻方法に関する。
【背景技術】
【０００２】
従来より、建物をシロアリによる食害から防護するために、種々の対策が検討されている。
例えば、布基礎の立ち上がり部と、立ち上がり部から水平方向に延びる土間床において、立ち上がり部と土間床との継ぎ目に、目地用切欠部を形成して、その目地用切欠部にシーリング材が充填された建物の防蟻構造が提案されている（例えば、特許文献１参照。）。
【０００３】
そして、特許文献１では、シーリング材の充填後、シーリング材を被覆するように、立ち上がり部の内側面に基礎断熱材を設けるとともに、土間床の内側面に基礎断熱補強材を設けることが提案されている。そして、シーリング材によって、基礎断熱材および基礎断熱補強材をシロアリによる食害から保護している。
【特許文献１】特開２００４−１３２１７８号公報（図１３）
【発明の開示】
【発明が解決しようとする課題】
【０００４】
しかし、特許文献１で提案される防蟻構造のように、土間床の継ぎ目に目地用切欠部を形成することは手間である。
また、基礎断熱材の設置後、継ぎ目に薬剤を施工したい場合がある。その場合には、一旦設置した基礎断熱材を剥離し、次いで、継ぎ目に薬剤を散布し、その後、基礎断熱材を再度設置するため、非常に手間がかかる。
【０００５】
本発明の目的は、簡易な方法で、薬剤を施工するための通路を形成でき、さらに、断熱材の設置後には、薬剤を簡易かつ確実に散布することのできる、防蟻構造および防蟻方法を提供することにある。
【課題を解決するための手段】
【０００６】
上記目的を達成するために、本発明者らは、薬剤を施工するための通路を簡単に形成できながら、断熱材の設置後には、薬剤を簡易に散布することのできる防蟻構造および防蟻方法について鋭意検討したところ、施工時において通路として区画される隙間が形成されるように断熱材を配置すれば、施工後には、その通路から薬剤を簡易に散布できるという知見を見出し、さらに研究を進めた結果、本発明を完成するに至った。
【０００７】
すなわち、
（１）  鉛直方向に延びる第１基礎および前記第１基礎から水平方向に延びる第２基礎に沿って配置され、前記第１基礎の側面と前記第２基礎の上面との連結部分が臨む隙間が、薬剤を施工するための通路として区画されている断熱材
を備えていることを特徴とする、防蟻構造、
（２）  前記断熱材は、
前記第２基礎の上面と間隔を隔てて、前記第１基礎の側面に沿って配置される第１断熱材と、
前記第１基礎の側面と間隔を隔てて、前記第２基礎の上面に沿って配置される第２断熱材とを備え、
前記第１断熱材の下面における前記第１基礎に対する離間側端部が、前記第２断熱材の上面における前記第１基礎に対する近接側端部に載置されていることを特徴とする、前記（１）に記載の防蟻構造、
（３）  前記断熱材の下端には、前記隙間を形成するための切欠部が形成されていることを特徴とする、前記（１）または（２）に記載の防蟻構造、
（４）  前記断熱材は、
前記第２基礎の上面と間隔を隔てて、前記第１基礎の側面に沿って配置される第１断熱材と、
前記第１基礎の側面と間隔を隔てて、前記第２基礎の上面に沿って配置される第２断熱材とを備え、
前記第１断熱材の側面における前記第２基礎に対する近接側端部が、前記第２断熱材の側面における前記第２基礎に対する離間側端部に当接されていることを特徴とする、前記（１）に記載の防蟻構造、
（５）  前記断熱材の側端には、前記隙間を形成するための切欠部が形成されていることを特徴とする、前記（１）または（４）に記載の防蟻構造、
（６）  鉛直方向に延びる第１基礎および前記第１基礎から水平方向に延びる第２基礎に沿って、前記第１基礎の側面と前記第２基礎の上面との連結部分が臨む隙間が、薬剤を施工するための通路として区画されるように、断熱材を配置する工程、および、
前記薬剤を前記通路に供給することにより、前記薬剤を前記連結部分に散布する工程
を備えていることを特徴とする、防蟻方法、
（７）  前記断熱材は、第１断熱材および第２断熱材を備え、
前記断熱材を配置する工程は、
前記第２断熱材を、前記第１基礎の側面と間隔を隔てて、前記第２基礎の上面に沿って配置する工程、および、
前記第１断熱材を、前記第２基礎の上面と間隔を隔てて、前記第１基礎の側面に沿って配置する工程を備え、
前記第１断熱材を配置する工程では、前記第１断熱材の下面における前記第１基礎に対する離間側端部を、前記第２断熱材の上面における前記第１基礎に対する近接側端部に載置することを特徴とする、前記（６）に記載の防蟻方法、
（８）  前記断熱材の下端には、前記隙間を形成するための切欠部が形成されていることを特徴とする、前記（６）または（７）に記載の防蟻方法、
（９）  前記断熱材は、第１断熱材および第２断熱材を備え、
前記断熱材を配置する工程は、
前記第１断熱材を、前記第２基礎の上面と間隔を隔てて、前記第１基礎の側面に沿って配置する工程、および、
前記第２断熱材を、前記第１基礎の側面と間隔を隔てて、前記第２基礎の上面に沿って配置する工程を備え、
前記第２断熱材を配置する工程では、前記第２断熱材の側面における前記第２基礎に対する離間側端部を、前記第１断熱材の側面における前記第２基礎に対する近接側端部に当接させることを特徴とする、前記（６）に記載の防蟻方法、
（１０）  前記断熱材の側端には、前記隙間を形成するための切欠部が形成されていることを特徴とする、前記（６）または（９）に記載の防蟻方法
を提供するものである。
【発明の効果】
【０００８】
本発明の防蟻構造および防蟻方法では、断熱材を、第１基礎の側面と第２基礎の上面との連結部分が臨む隙間が、薬剤を施工するための通路として区画されるように配置されるので、断熱材の設置当初から、通路が簡易かつ容易に形成される。
そのため、断熱材の設置後、通路に薬剤を供給することにより、第１基礎および第２基礎の連結部分、さらには、断熱材に薬剤を簡易かつ容易に散布することができる。
【０００９】
その結果、断熱材により、通路を簡易かつ確実に形成しながら、断熱材の配置後には、簡易かつ確実に薬剤を散布することができる。
【発明を実施するための最良の形態】
【００１０】
図１は、本発明の防蟻構造の第１実施形態（通路が第１断熱材および第２断熱材から形成され、第２断熱材の上面が第１断熱材の下端面に載置される態様）を示す斜視図である。
図１において、この防蟻構造１は、断熱材４を備えている。
より具体的には、この防蟻構造１は、布基礎形式の基礎構造部に適用され、このような布基礎形式の基礎構造部としては、鉛直方向に延びる第１基礎としての布基礎２と、布基礎２から水平方向に延びる第２基礎としての打設コンクリート３とを備えている。そして、断熱材４は、布基礎２および打設コンクリート３に沿って配置されている。
【００１１】
布基礎２は、鉛直方向（鉛直上方および鉛直下方）に延び、厚肉の平板状に形成されている。また、打設コンクリート３は、厚肉の平板状に形成され、布基礎２の両側面に、布基礎２から水平方向（外側および内側）に延びるように配置されている。
なお、図１は、布基礎２の内側面から内側に延びる打設コンクリート３を現し、布基礎２の外側面から外側に延びる打設コンクリート３を省略し、さらに、鉛直下方に延びる布基礎２を省略している。
【００１２】
また、布基礎２の上面には、図示しない木製の土台が設けられる。
そして、この防蟻構造１では、薬剤を施工するための通路７が、断熱材４の隙間、すなわち、布基礎２の内側面と打設コンクリート３の上面との連結部分８が臨む隙間によって、区画されている。
具体的には、断熱材４は、例えば、公知の樹脂発泡体などであって、第１断熱材５および第２断熱材６を備えている。
【００１３】
第１断熱材５は、打設コンクリート３の上面と鉛直方向上側に間隔を隔てて、布基礎２の外側面と接触するように配置され、奥行方向および鉛直方向上側に延びる、厚肉の平板状に形成されている。
より具体的には、第１断熱材５の下面における布基礎２に対する離間側端部としての内側端部２１が、第２断熱材６の上面に載置されている。つまり、第１断熱材５は、打設コンクリート３の上面と、第２断熱材６の厚みＤ２と同一厚みの間隔を隔てて配置されている。なお、第１断熱材５の下部には、後述する注入管９の直管２４が埋設されている。
【００１４】
第２断熱材６は、布基礎２の内側面と水平方向（内外方向）内側に間隔を隔てて、打設コンクリート３の上面と接触するように配置され、奥行方向に沿って水平方向内側に延びる、厚肉の平板状に形成されている。
より具体的には、第２断熱材６は、布基礎２の内側面と、第１断熱材５の下面を支持できる間隔Ｌ１を隔てて配置されている。すなわち、第１断熱材５の下面を支持できる間隔Ｌ１は、第１断熱材５の厚みＤ１より小さい長さに設定されている。これにより、第２断熱材６では、その上面における布基礎２に対する近接側端部としての外側端部２２に、第１断熱材５の下面における内側端部２１が載置されている。
【００１５】
これにより、第１断熱材５の下面における外側端部から厚み方向途中までの部分（下面における内側端部２１以外の部分）および第２断熱材６の外側端面２３と、打設コンクリート３の上面および布基礎２の内側面とにより区画される空間が通路７として形成されている。
通路７は、奥行き方向に延びる、断面略矩形状に形成されている。通路７の寸法は、鉛直方向長さ（上下方向高さであって、鉛直方向における第１断熱材５の下面（下端面３３）と打設コンクリート３の上面との間隔、つまり、第２断熱材６の厚み）Ｄ２が、例えば、５〜１００ｍｍ、好ましくは、１０〜５０ｍｍである。また、通路７の幅（内外方向長さであり、第２断熱材６の外側端面２３と布基礎２の内側面との距離、つまり、第１断熱材５の厚みＤ１から、第１断熱材５の内側端部２１が載置される第２断熱材６の外側端部２２の幅（マージン）を引いた長さ）Ｌ１が、例えば、５〜１００ｍｍ、好ましくは、１０〜５０ｍｍである。
【００１６】
また、通路７の奥行方向途中には、注入管９が接続されており、注入管９の内部空間と、通路７（断熱材６の隙間）とが連通している。
具体的には、注入管９は、例えば、薬剤の施工時に通路７に薬剤を供給するための３方管であって、一方側端部である第１口部１０と、第１口部１０に連続する直管２４から分岐される分岐管２５の他方側端部である１対の第２口部１１とを備える、略Ｔ字パイプ（チューブ）状に形成されている。
【００１７】
すなわち、注入管９は、第１口部１０が上方斜め内側に向かって開放され、第２口部１１が奥行方向に向かって開放されるように配置されている。つまり、注入管９は、第１口部１０が第１断熱材５から突出し、第２口部１１が、通路７の内部空間に臨むように、配置されている。
注入管９は、例えば、ポリエチレン、ポリプロピレン、ポリアクリロニトリル、ポリブテンなどの樹脂（プラスティック）、例えば、ステンレス、鉄などの金属などの材料から形成されている。
【００１８】
注入管９の寸法は、その内径が、例えば、１〜５０ｍｍ、好ましくは、５〜２０ｍｍであり、厚みが、例えば、０．５〜５ｍｍ、好ましくは、１〜３ｍｍである。注入管９における直管２４の長さが、例えば、１０〜１００ｍｍであり、分岐管２５の長さ（互いに対向する各第２口部１１間の間隔）は、例えば、５０ｍｍ以下である。
次に、この防蟻構造１を用いた、本発明の防蟻方法の第１実施形態について説明する。
【００１９】
まず、この方法では、連結部分８が臨む通路７が形成されるように、布基礎２および打設コンクリート３に沿って、断熱材４を配置する。
断熱材４を配置するには、まず、第２断熱材６を、布基礎２の内側面と間隔を隔てて、打設コンクリート３の上面に沿って配置する。なお、第２断熱材６の打設コンクリート３への配置時おいては、打設コンクリート３は、未固化状態に調製されている。
【００２０】
次いで、注入管９を設置する。具体的には、第２口部１１および分岐管２５の外周壁の下部が、打設コンクリート３の上面および布基礎２の内側面に接触するように、注入管９を配置する。
次いで、第１断熱材５を、打設コンクリート３の上面と間隔を隔てて、布基礎２の内側面に沿って配置する。なお、第１断熱材５の布基礎２への配置時には、布基礎２は、未固化状態に調製されている。
【００２１】
具体的には、まず、注入管９の直管２４の外周壁に対応する部分が予め切り欠かれた第１断熱材５を用意する。次いで、第１断熱材５を、その下面における内側端部２１が第２断熱材６の上面における外側端部２２に載置されるように、上方から配置する。このとき、第１口部１０を第１断熱材５の切り欠き部分に貫通させる。これにより、第１断熱材５が、注入管９の直管２４を被覆する。
【００２２】
次いで、この方法では、布基礎２および打設コンクリート３を公知の方法により固化させる。これらの固化により、第１断熱材５および第２断熱材６が、布基礎２の内側面および打設コンクリート３の上面とそれぞれ密着する。
その後、この方法では、断熱材４の設置直後に、薬剤を施工する。
薬剤は、例えば、防蟻成分を含有する防蟻組成物である。
【００２３】
防蟻成分としては、例えば、ネオニコチノイド系化合物、ピレスロイド系化合物、有機塩素系化合物、有機リン系化合物、カルバメート系化合物、ピロール系化合物、フェニルピラゾール系化合物、オキサジアジン系化合物、セミカルバゾン系化合物、植物またはその処理物あるいはその誘導体などが挙げられる。
上記した防蟻成分は、単独使用または２種以上を併用することができる。好ましくは、ネオニコチノイド系化合物が挙げられる。
【００２４】
ネオニコチノイド系化合物としては、例えば、（Ｅ）−１−（２−クロロ−１，３−チアゾール−５−イルメチル）−３−メチル−２−ニトログアニジン（一般名：クロチアニジン）、Ｎ−アセチル−Ｎ−（２−クロロチアゾール−５−イル）メチル−Ｎ’−メチル−Ｎ”−ニトログアニジン、Ｎ−（２−クロロチアゾール−５−イル）メチル−Ｎ−メトキシカルボニル−Ｎ’−メチル−Ｎ”−ニトログアニジン、１−（６−クロロ−３−ピリジルメチル）−Ｎ−ニトロイミダゾリン−２−イリデンアミン（一般名：イミダクロプリド）、３−（２−クロロチアゾール−５−イルメチル）−５−［１，３，５］オキサジアジナン−４−イルインデン−Ｎ−ニトロアミン（一般名：チアメトキサム）、（ＲＳ）−１−メチル−２−ニトロ−３−（テトラヒドロ−３−フリルメチル）グアニジン（一般名：ジノテフラン）、（Ｅ）−Ｎ１−［（６−クロロ−３−ピリジル）メチル］−Ｎ２−シアノ−Ｎ１−メチルアセトアミジン（一般名：アセタミプリド）などが挙げられる。
【００２５】
これらネオニコチノイド系化合物は、単独使用または２種類以上併用することができる。ネオニコチノイド系化合物のうち、好ましくは、クロチアニジンが挙げられる。
ピレスロイド系化合物としては、例えば、アレスリン、ペルメトリン、トラロメトリン、ビフェントリン、アクリナトリン、アルファシペルメトリン、シフルトリン、シフェノトリン、プラレトリン、エトフェンプロックス、シラフルオフェン、フェンバレレートなどが挙げられ、好ましくは、ペルメトリン、ビフェントリン、シフェノトリン、エトフェンプロックス、シラフルオフェンが挙げられる。
【００２６】
有機塩素系化合物としては、例えば、ケルセンなどが挙げられる。
有機リン系化合物としては、例えば、ホキシム、ピリダフェンチオン、フェニトロチオン（ＭＥＰ）、テトラクロルビンホス、ジクロフェンチオン、プロペタンホスなどが挙げられる。
カルバメート系化合物としては、例えば、カルバリル、フェノブカルブ（ＢＰＭＣ）、プロポクスルなどが挙げられる。
【００２７】
ピロール系化合物としては、例えば、クロルフェナピルなどが挙げられる。
フェニルピラゾール系化合物としては、例えば、フィプロニルなどが挙げられる。
オキサジアジン系化合物としては、例えば、インドキサカルブなどが挙げられる。
セミカルバゾン系化合物としては、例えば、α−（α，α，α−トリフルオロ−ｍ−トルオイル）−ｐ−トリニトリル４−（ｐ−トリフルオロメトキシフェニル）セミカルバゾンなどが挙げられる。
【００２８】
植物またはその処理物あるいはその誘導体としては、例えば、特開２００２−３０７４０６号公報、特開２００３−２５２７０８号公報、特開２００５−７４７７６号公報に記載されたものが挙げられる。
また、防蟻組成物における防蟻成分は、通路７を流動できる製剤形態であれば、特に限定されず、例えば、フロアブル剤、マイクロカプセル剤（水などの溶媒に分散されたもの）、担体担持剤などの懸濁剤、例えば、油剤、乳剤などの液剤などとして、調製される。好ましくは、これらのうち、防蟻成分を、溶媒に分散されたマイクロカプセル化剤として調製する。
【００２９】
なお、防蟻組成物には、必要により、公知の添加剤を添加することができ、そのような添加剤としては、例えば、分散剤、界面活性剤、沈降防止剤、ポリエステル樹脂、エポキシ樹脂などの樹脂、オキシカルボン酸やケイフッ化物などの硬化遅延剤、アルミン酸ナトリウム、カルシウムなどの硬化促進剤、ポリプロピレン、ポリエチレン、アラミド樹脂などのコンクリート補強剤などが挙げられる。
【００３０】
薬剤を通路７に供給するには、各注入管９から薬剤を注入する。薬剤の注入速度は、通常、例えば、５０〜２０００ｍｌ／分、好ましくは、５０〜１０００ｍｌ／分である。また、薬剤の注入速度は、点滴のように極端に小さくして、薬剤を徐々に注入することもでき、より具体的には、薬剤の注入速度が、例えば、１０〜６００ｍｌ／時間、好ましくは、３０〜２００ｍｌ／時間に設定される。
【００３１】
また、この薬剤の供給において、公知の発泡剤を薬剤に含有させることもできる。このような発泡剤は、例えば、発泡作用を有する界面活性剤であって、例えば、アルキル硫酸塩、ポリオキシエチレンアルキルエーテル硫酸塩などが挙げられる。また、発泡剤の配合割合は、薬剤１００重量部に対して、例えば、１〜５重量部、好ましくは、１〜３重量部である。発泡剤が含有された薬剤を用いて、これを発泡させながら注入することにより、薬剤の流動性を高めながら、薬剤を通路７に円滑に供給して、連結部分８に円滑に散布することができる。
【００３２】
なお、この施工において、薬剤の散布量を、防蟻成分の量が、例えば、０．００１〜５０重量％、好ましくは、０．０１〜２重量％となるように設定する。
この施工によって、注入管９から注入された薬剤が、通路７に至り、連結部分８、ひいては、断熱材４に浸透される。
なお、この施工の前（例えば、建物の新築時）に、打設コンクリート３の下に、予め、薬剤を施工することができる。
【００３３】
そして、この防蟻構造１および防蟻方法によれば、第１断熱材５および第２断熱材６を、連結部分８が臨む隙間が、薬剤を施工するための通路７として区画されるように配置されるので、通路７が簡易かつ容易に形成される。
一般に、断熱材構造を有する防蟻構造１に通路７を形成するには、断熱材４とは別に、パイプなどの通路形成部材を連結部分８に設置する必要があるところ、この防蟻構造１および防蟻方法では、第１断熱材５および第２断熱材６が断熱材と通路形成部材とを兼ねるので、簡易な構成で通路７が容易に形成される。
【００３４】
しかも、第１断熱材５および第２断熱材６の施工当初から、通路７が形成される。
そのため、第１断熱材５および第２断熱材６の設置後、通路７に薬剤を供給することにより、連結部分８、さらには、第１断熱材５および第２断熱材６に薬剤を簡易に散布することができる。
その結果、第１断熱材５および第２断熱材６により、簡易かつ容易に通路７を形成しながら、断熱材４の配置後には、簡易かつ確実に薬剤を散布することができる。
【００３５】
なお、上記した説明では、薬剤を、断熱材４の設置直後に施工したが、これに限定されず、例えば、断熱材４の設置から所定期間経過後に施工することができる。あるいは、断熱材４の設置直後に施工し、さらに、その施工から所定期間経過後に再施工することもできる。
断熱材４の設置から薬剤の施工までの期間、および、断熱材４の設置直後の施工から薬剤の再施工までの期間は、施工箇所に応じて適宜選択され、例えば、３年以上、好ましくは、５年以上、通常、２０年以内、好ましくは、１０年以内に設定される。
【００３６】
また、上記した説明では、第１断熱材５および第２断熱材６の設置において、布基礎２および打設コンクリート３を未固化状態で調製し、次いで、第１断熱材５および第２断熱材６をこれらに配置したが、例えば、予め、布基礎２および打設コンクリート３を硬化させて固化状態で調製した後、図示しない接着剤層を介して、第１断熱材５および第２断熱材６を設置することができる。あるいは、図示しない、ボルトを、第１断熱材５および布基礎２に挿通させ、また、第２断熱材６および打設コンクリート３に挿通させて固定することもできる。
【００３７】
また、上記した説明では、注入管９を１本設けたが、例えば、図示しないが、注入管９を、奥行方向において互いに間隔を隔てて複数設けることができる。
また、上記した説明では、第２基礎として、打設コンクリート３を例示したが、例えば、土間や地盤面であってもよい。
また、上記した説明では、第１断熱材５に切り欠き部分を設けて、注入管９の第１口部１０をこの切り欠き部分に貫通させたが、例えば、図示しないが、第１断熱材５および第２断熱材６の両方に切り欠き部分を設けることができる。なお、この場合には、切り欠き部分を、第１断熱材５および第２断熱材６を切り欠くことにより形成し、具体的には、第１断熱材５および第２断熱材６のそれぞれを半割略円柱状に開口する。
【００３８】
また、上記した説明では、注入管９を設けたが、例えば、図示しないが、注入管９を設けず、薬剤を通路７に供給することができる。すなわち、第１断熱材５に切り欠き部分または直管２４に対応する貫通部分を形成して、薬剤を、これら切り欠き部分または貫通部分から薬剤を注入する。
なお、上記した図１における説明では、第２断熱材６を、打設コンクリート３の上面のほぼ全面（通路７が形成される部分を除く全面）に配置したが、例えば、図１の仮想線で示すように、打設コンクリート３の上面における内側端部（通路７が形成される部分を除く部分）のみに配置することもできる。すなわち、第２断熱材６の上面の外側端部２２において、第１断熱材５の下端面３３の内側端部２１を載置できればよく、第２断熱材６の幅（内外方向長さ）が、打設コンクリート３の幅に比べて過度に短く設定されている。
【００３９】
また、上記した説明では、防蟻構造１において、断熱材４を内断熱構造として配置したが、例えば、図示しないが、外断熱構造あるいは両側断熱構造（断熱材４を布基礎２の内側および外側の両側に配置する断熱構造）として配置することができる。
また、上記した説明では、防蟻構造１を布基礎形式の基礎構造部に適用したが、例えば、図示しないが、べた基礎形式の基礎構造部に適用することもできる。なお、べた基礎形式の基礎構造部は、水平方向に延びるべた基礎３と、そのべた基礎３の上方に延びるように配置される基礎本体２とを備えている。
【００４０】
図２および図３は、本発明の防蟻構造の第１実施形態の変形例（通路が第１断熱材の切欠部によって形成される態様）を示す斜視図であって、図２が、切欠部が断面略矩形状である態様、図３が、切欠部が断面略三角形状である態様を示す。
次に、本発明の防蟻構造の第１実施形態の変形例について、図２および図３を参照して、説明する。なお、上記した各部に対応する部材については、以降の各図面において同一の参照符号を付し、その詳細な説明を省略する。
【００４１】
上記した説明では、第１断熱材５および第２断熱材６の両方を用いて通路７を形成したが、これに限定されず、例えば、図２に示すように、第１断熱材５の下端に切欠部１２を形成することにより、通路７を形成することができる。
図２において、断熱材４は、第１断熱材５からなり、第１断熱材５の下端面３３の内側端部２１は、打設コンクリート３の上面に接触され、第１断熱材５の下端の外側端部から幅方向途中までの部分には、切欠部１２が形成されている。
【００４２】
切欠部１２は、隙間を形成しており、具体的には、奥行方向に延びる断面略矩形状に形成されている。
切欠部１２の寸法は、第１断熱材５の寸法に応じて適宜選択され、鉛直方向高さが、例えば５〜１００ｍｍ、好ましくは、１０〜５０ｍｍであり、幅（内外方向長さ）が、例えば、５〜１００ｍｍ、好ましくは、１０〜５０ｍｍである。
【００４３】
そして、切欠部１２によって、隙間が形成され、切欠部１２の上面および内側面と、打設コンクリート３の上面と、布基礎２の内側面とによって、通路７が区画されている。
次に、この防蟻構造１を用いた、本発明の防蟻方法の第１実施形態の変形例について説明する。
まず、この方法では、連結部分８が臨む通路７が形成されるように、布基礎２に沿って、第１断熱材５を配置する。
【００４４】
第１断熱材５を配置するには、まず、第１断熱材５を予め上記した形状で切り欠いて切欠部１２を形成する。次いで、この第１断熱材５を、第１断熱材５の下端面３３の内側端部２１が打設コンクリート３の上面と接触するように、布基礎２の内側面に沿って配置する。その後、薬剤を施工する。
そして、この防蟻構造１および防蟻方法によれば、第１断熱材５に予め切欠部１２を形成することにより、通路７がより一層簡易かつ容易に形成される。
【００４５】
そのため、第１断熱材５および第２断熱材６の設置後、通路７に薬剤を供給することにより、連結部分８、さらには、第１断熱材５に薬剤をより一層簡易に散布することができる。
その結果、第１断熱材５により、より一層簡易かつ容易に通路７を形成しながら、断熱材４の配置後には、より一層簡易かつ確実に薬剤を散布することができる。
【００４６】
また、上記した説明では、切欠部１２を、断面略矩形状に形成したが、例えば、図３に示すように、断面略三角形状に形成したり、図示しないが、断面略円形状に形成することもできる。
図３において、第１断熱材５の下端の内側端部（内側端縁であり、第１断熱材５の内側面と切欠部１２の上面との稜線）２１は、打設コンクリート３の上面に接触されている。
【００４７】
また、切欠部１２は、奥行方向延び、鉛直方向上方に向かうに従って幅狭となる、断面略三角形状に形成されている。
切欠部１２の寸法は、第１断熱材５の寸法に応じて適宜選択され、鉛直方向高さが、例えば、５〜１００ｍｍ、好ましくは、１０〜５０ｍｍであり、幅（内外方向長さ）が、例えば、５〜１００ｍｍ、好ましくは、１０〜５０ｍｍである。
【００４８】
また、上記した図２および図３の説明では、断熱材４を、切欠部１２を有する第１断熱材５から形成して、通路７を設けたが、例えば、図示しないが、図１が参照されるように、断熱材４を、第１断熱材５および第２断熱材６から形成して、さらに、図２および図３が参照されるように、第１断熱材５の下端に切欠部１２を形成することにより、通路７を形成することもできる。これにより、通路７を、図１〜図３で示される通路７より、断面積を広く形成することができ、薬剤の施工の効率を向上させることができる。
【００４９】
図４は、本発明の防蟻構造の第２実施形態（通路が第１断熱材および第２断熱材から形成され、第１断熱材の内側面が第２断熱材の外側端面に当接される態様）を示す斜視図である。
上記した説明では、第１断熱材５の下端面３３を、第２断熱材６の上面に載置したが、例えば、図４に示すように、第２断熱材６の外側端面２３を、第１断熱材５の内側面に当接させることができる。
【００５０】
図４において、第１断熱材５と第２断熱材６との相対配置は、上記した図１に示す布基礎２および打設コンクリート３に対して、第１断熱材５と第２断熱材６とが反転されている。
すなわち、第２断熱材６の側面としての外側端面２３における打設コンクリート３に対する離間側端部としての上端部３１は、第１断熱材５の側面としての内側面における打設コンクリート３に対する近接側端部としての下端部３２に当接されている。
【００５１】
つまり、第１断熱材５は、打設コンクリート３の上面と、間隔Ｌ２を隔てて配置されている。
第２断熱材６は、布基礎２の内側面と、第１断熱材５の厚みＤ１と同一厚みの間隔を隔てて配置されている。なお、第２断熱材６の外側部には、注入管９の直管２４が埋設されている。
【００５２】
これにより、第２断熱材６の外側端面２３における下端部から厚み方向途中までの部分（外側端面２３における上端部３１以外の部分）および第１断熱材５の下端面３３と、打設コンクリート３の上面および布基礎２の内側面とにより区画される空間が通路７として形成されている。
通路７の幅（第２断熱材６の外側端面２３と布基礎２の内側面との距離）Ｄ１は、上記した第１断熱材５の厚みＤ１と同様である。また、通路７の厚み（第１断熱材５の下端面３３と打設コンクリート３の上面との間隔）Ｌ２は、例えば、５〜１００ｍｍ、好ましくは、１０〜５０ｍｍである。
【００５３】
また、注入管９は、第１口部１０が第２断熱材６から突出している。
次に、この防蟻構造１を用いた、本発明の防蟻方法の第２実施形態について説明する。
この方法では、まず、第１断熱材５を、打設コンクリート３の上面と間隔を隔てて、布基礎２の内側面に沿って配置する。次いで、注入管９を設置する。
その後、第２断熱材６を、布基礎２の内側面と間隔を隔てて、打設コンクリート３の上面に沿って配置する。具体的には、第２断熱材６の外側端面２３における上端部３１を第１断熱材５の内側面における下端部３２に当接させる。
【００５４】
図５は、本発明の防蟻構造の第２実施形態の変形例（通路が第２断熱材の切欠部によって形成される態様）を示す斜視図を示す。
上記した図４における説明では、第１断熱材５および第２断熱材６の両方を用いて通路７を形成したが、これに限定されず、例えば、図５に示すように、断熱材４の側端としての外側端に切欠部１２を形成することにより、通路７を形成することができる。
【００５５】
図５において、第２断熱材６の外側端面２３の上端部３１は、布基礎２の内側面に接触され、第２断熱材６の外側端の下端部から厚み方向途中までの部分には、切欠部１２が形成されている。
切欠部１２の寸法は、第２断熱材６の寸法に応じて適宜選択され、上記した図２に示す切欠部１２の寸法と同様である。
【００５６】
次に、この防蟻構造１を用いた、本発明の防蟻方法の第２実施形態の変形例について説明する。
この方法では、まず、第２断熱材６を予め上記した形状で切り欠いて切欠部１２を形成する。
次いで、この第２断熱材６を、第２断熱材６の外側端面２３の上端部３１が布基礎２の内側面と接触するように、打設コンクリート３の上面に沿って配置する。具体的には、第１断熱材５を、第１断熱材５の下端面３３を第２断熱材６の上面に載置させるように、布基礎２に沿って配置する。その後、薬剤を施工する。
【産業上の利用可能性】
【００５７】
本発明の防蟻構造および防蟻方法は、例えば、断熱材が配置された建物の基礎構造部を防蟻するための防蟻構造および防蟻方法であって、断熱材により、薬剤を施工するための通路を簡易かつ容易に形成しながら、断熱材の配置後には、簡易かつ確実に薬剤を散布することのできる防蟻構造および防蟻方法として用いることができる。
【図面の簡単な説明】
【００５８】
【図１】本発明の防蟻構造の第１実施形態（通路が第１断熱材および第２断熱材から形成され、第２断熱材の上面が第１断熱材の下端面に載置される態様）を示す斜視図である
【図２】本発明の防蟻構造の第１実施形態の変形例（通路が第１断熱材の切欠部によって形成され、切欠部が断面略矩形状である態様）を示す斜視図である。
【図３】本発明の防蟻構造の第１実施形態の変形例（通路が第１断熱材の切欠部によって形成され、切欠部が断面略三角形状である態様）を示す斜視図である。
【図４】本発明の防蟻構造の第２実施形態（通路が第１断熱材および第２断熱材から形成され、第１断熱材の内側面が第２断熱材の外側端面に当接される態様）を示す斜視図である。
【図５】本発明の防蟻構造の第２実施形態の変形例（通路が第２断熱材の切欠部によって形成される態様）を示す斜視図を示す。
【符号の説明】
【００５９】
１      防蟻構造
２      布基礎
３      打設コンクリート
４      断熱材
５      第１断熱材
６      第２断熱材
７      通路
８      連結部分
１２    切欠部
２１    内側端部
２２    外側端部
３１    上端部
３２    下端部
【図１】
0005452862.tif 000002
【図２】
0005452862.tif 000003
【図３】
0005452862.tif 000004
【図４】
0005452862.tif 000005
【図５】
0005452862.tif 000006